(57)【要約】車内情報検索システムは、車両の中でデータを生成するデータ生成モジュールを備えている。データ取り込みモジュールは、データ生成モジュールと通信してデータ生成モジュールからデータを取り込む。印刷ユニットは、車両に取り付けられておりかつデータ取り込みモジュールに接続されており、必要な情報を印刷する。
2005519359.tif 000002
【特許請求の範囲】
【請求項１】
車内情報検索システムであって、
前記車両の中でデータを生成するデータ生成モジュールと、
前記データ生成モジュールと通信して前記データ生成モジュールからデータを取り込むデータ取り込みモジュールと、
前記車両に取り付けられておりかつ前記データ取り込みモジュールに接続されている印刷ユニットであり、前記データ取り込みモジュールからの情報を印刷する、前記印刷ユニットと、
を含んでいる、車内情報検索システム。
【請求項２】
前記データ生成モジュールによって生成される前記データが、画像データを含んでいる、請求項１に記載のシステム。
【請求項３】
前記画像データが映像データを含んでいる、請求項２に記載のシステム。
【請求項４】
前記データ生成モジュールが、前記映像データが表示されるディスプレイ手段を含んでいる、請求項３に記載のシステム。
【請求項５】
前記データ取り込みモジュールが、画像取り込みユニットを含んでいる、請求項２に記載のシステム。
【請求項６】
前記データ取り込みモジュールが、前記画像取り込みユニットに関連付けられているユーザ端末であって、ユーザが必要時に操作してデータを取り込むことのできる、前記ユーザ端末、を含んでいる、請求項５に記載のシステム。
【請求項７】
前記画像取り込みユニットが、前記データ生成モジュールからのデータを、印刷に適する形式に符号化する、請求項５に記載のシステム。
【請求項８】
前記印刷ユニットが、前記画像取り込みユニットと通信するプリンタコントローラと、プリンタとを含んでおり、前記プリンタコントローラが、前記画像取り込みユニットからの前記書式付きデータを受信する、請求項７に記載のシステム。
【請求項９】
前記プリンタがフルカラープリンタである、請求項８に記載のシステム。
【請求項１０】
前記プリンタが写真画質のカラープリンタである、請求項９に記載のシステム。
【請求項１１】
前記プリンタがインクジェットプリンタである、請求項１０に記載のシステム。
【請求項１２】
前記プリンタがインクジェット式ページ幅プリントヘッドを備えている、請求項１１に記載のシステム。
【請求項１３】
前記プリントヘッドがノズルのアレイを備えており、前記アレイが、マイクロメカトロニクス技術によって製作されている、請求項１２に記載のシステム。
【請求項１４】
前記データ取り込みモジュールと通信する通信ユニットであって、取り込まれたデータを遠隔位置に送ることを可能にする、前記通信ユニット、を含んでいる、請求項１に記載のシステム。
【請求項１５】
前記通信ユニットが、前記データ生成モジュールが前記データの遠隔の供給元からのデータを生成することを可能にする目的で、前記データ生成モジュールとも通信する、請求項１４に記載のシステム。
【請求項１６】
車両の中から情報を検索する方法であって、
前記車両の中でデータを生成するステップと、
前記生成されたデータの少なくとも一部を取り込むステップと、
必要な取り込まれたデータを、前記車両に取り付けられている印刷ユニットによって印刷するステップと、
を含んでいる、方法。
【請求項１７】
画像データを生成するステップ、を含んでいる、請求項１６に記載の方法。
【請求項１８】
映像データを含んでいる画像データを生成するステップ、を含んでいる、請求項１７に記載の方法。
【請求項１９】
前記映像データを表示するステップ、を含んでいる、請求項１８に記載の方法。
【請求項２０】
要求時にデータを取り込むステップ、を含んでいる、請求項１６に記載の方法。
【請求項２１】
データを、印刷に適する形式に符号化するステップ、を含んでいる、請求項１６に記載の方法。
【請求項２２】
前記データに映像データが含まれている場合に、前記データを圧縮画像形式に符号化するステップ、を含んでいる、請求項２１に記載の方法。
【請求項２３】
前記圧縮画像形式の中に補足情報を含めるステップ、を含んでいる、請求項２２に記載の方法。
【請求項２４】
取り込まれたデータを遠隔位置に送るステップ、を含んでいる、請求項１６に記載の方法。
【請求項２５】
データの遠隔の供給元から供給されるデータを生成するステップ、を更に含んでいる、請求項２４に記載の方法。
【請求項２６】
車内情報検索システムであって、
車載画像表示装備と、
前記画像表示装備に関連付けられている制御手段であり、前記画像表示装備に表示されるデータを制御する、前記制御手段と、
前記画像表示装備に接続されている車載印刷ユニットであり、画像を印刷することを可能にする、前記車載印刷ユニットと、
を含んでいる、車内情報検索システム。
【請求項２７】
車両の中から情報を検索する方法であって、
車載表示装備に画像を表示するステップと、
前記画像表示装備に表示される画像を制御するステップと、
必要な画像を車載印刷ユニットによって印刷するステップと、
を含んでいる、方法。
【請求項２８】
車内情報検索システムであって、
画像出力モジュールと、画像を表示するディスプレイ手段とを含んでいる車載画像表示装備と、
前記画像表示装備と通信する画像取り込みユニットであり、取り込まれた画像に関するデータを印刷に適する形式に圧縮するデータ圧縮手段を含んでいる、前記画像取り込みユニットと、
前記画像取り込みユニットに接続されている車載印刷ユニットであり、前記取り込まれた画像を印刷することを可能にする、前記車載印刷ユニットと、
を含んでいる、車内情報検索システム。
【請求項２９】
前記画像取り込みユニットに接続されている無線通信ユニットであって、前記取り込まれた画像を遠隔位置に送る、前記無線通信ユニット、を含んでいる、請求項２８に記載のシステム。
【請求項３０】
前記無線通信ユニットが、映像画像を前記映像画像の遠隔の供給元からダウンロードすることを可能にする目的で、前記画像表示装備にも接続されている、請求項２９に記載のシステム。
【請求項３１】
車両の中から情報を検索する方法であって、
画像出力モジュールとディスプレイ手段とを含んでいる車載画像表示装備に画像を表示するステップと、
取り込まれた画像に関するデータを印刷に適する形式に圧縮するステップと、
必要な画像を車載印刷ユニットによって印刷するステップと、
を含んでいる、方法
【請求項３２】
前記取り込まれた画像を無線通信ユニットによって遠隔位置に送るステップ、を含んでいる、請求項３１に記載の方法。
【請求項３３】
映像画像を前記映像画像の遠隔の供給元から前記無線通信ユニットによって前記画像表示装備にダウンロードするステップ、を更に含んでいる、請求項３２に記載の方法。
【発明の詳細な説明】
【発明の分野】
【０００１】
本発明は、車内情報検索システムと、車両の中から情報を検索する方法とに関する。
【発明の背景】
【０００２】
現在、多くの自動車には、ＬＣＤパネルなどの何らかの形式のディスプレイ装備が組み込まれていることが一般的になりつつある。ＬＣＤパネルは、車両のバックミラーの上、中央のコンソールの中、車両のフロントシートのバックレストなど、いくつかの利用可能な場所のいずれかに組み込むことができる。ディスプレイ装備は、テレビ、ＤＶＤや映像コンテンツの表示、カーナビゲーションシステム、テレビゲームのディスプレイなど、様々な用途に利用することができる。
【０００３】
現在のところ、表示される画像は、映像源から出力されている限りはＬＣＤに映されるのみである。すなわち、ＬＣＤに何らかの形式で提示された情報を視聴者が有用だと感じ、その情報を後から再び見るようにするためには、視聴者は、その情報を書き留めることによって写し取るか、又は内容を記憶するかのいずれかが必要である。
【同時係属出願】
【０００４】
本発明の出願人又は譲渡人によって本出願と同時に出願される以下の同時係属出願には、本発明に関連する様々な方法、システム、及び装置が開示されている。
ＡＰ３９  ＡＰ４３  ＡＰ４４  ＡＰ４６  ＡＰ４７  ＡＰ４８  
ＡＰ４９  ＡＰ５０  ＡＰ５１  ＡＰ５２  ＡＰ５３  ＡＰ５５  
ＡＰ５８  ＡＰ６０  ＡＰ６１  ＡＰ６２  ＡＰ６３  ＡＰ６４  
ＡＰ６５  ＡＰ６６  ＡＰ６７  ＡＰ６８  ＡＰ６９  ＡＰ７０  
ＡＰ７１  ＡＰ７７  ＡＰ７８  ＡＰ７９
これらの同時係属出願の開示は、本文書に相互参照によって組み込まれている。各出願は、一時的にファイル参照番号によって識別されている。このファイル参照番号は、対応するＰＣＴ出願番号が決定した時点でそれに置き換えられる。
【０００５】
［関連出願及び特許］
US6,227,652   US6,213,588   US6,213,589   US6,231,163
US6,247,795   US6,394,581   US6,244,691   US6,257,704
US6,416,168   US6,220,694   US6,257,705   US6,247,794
US6,234,610   US6,247,793   US6,264,306   US6,241,342
US6,247,792   US6,264,307   US6,254,220   US6,234,611
US6,302,528   US6,283,582   US6,239,821   US6,338,547
US6,247,796   US09/113,122  US6,390,603   US6,362,843
US6,293,653   US6,312,107   US6,227,653   US6,234,609
US6,238,040   US6,188,415   US6,227,654   US6,209,989
US6,247,791   US6,336,710   US6,217,153   US6,416,167
US6,243,113   US6,283,581   US6,247,790   US6,260,953
US6,267,469   US6,273,544   US6,309,048   US6,420,196
US6,443,558   US09/422,892  US6,378,989   US09/425,420
US09/422,893  US09/609,140  US6,409,323   US6,281,912
US09/575,113  US6,318,920   US6,488,422   US09/693,644
US6,457,810   US6,485,135   US09/112,763  US6,331,946
US6,246,970   US6,442,525   US09/505,951  US09/505,147
US09/505,952  US09/575,108  US09/575,109  US09/575,110
US09/607,985  US6,398,332   US6,394,573   US09/606,999 
US6,238,044   US6,425,661   US6,390,605   US6,322,195
US09/504,221  US6,480,089   US6,460,778   US6,305,788
US6,426,014   US6,364,453   US6,457,795   US09/556,219
US09/556,218  US6,315,399   US6,338,548   US09/575,190
US6,328,431   US6,328,425   US09/575,127  US6,383,833
US6,464,332   US6,390,591   US09/575,152  US6,328,417
US6,322,194   US09/575,177  US09/575,175  US6,417,757
US09/608,780  US6,428,139   US09/607,498  US09/693,079
US09/693,135  US6,428,142   US09/692,813  US09/693,319
US09/693,311  US6,439,908   US09/693,735  PCT/AU98/00550
PCT/AU00/00516  PCT/AU00/00517  PCT/AU00/00511  PCT/AU00/00754
PCT/AU00/00755  PCT/AU00/00756  PCT/AU00/00757  PCT/AU00/00095
PCT/AU00/00172  PCT/AU00/00338  PCT/AU00/00339  PCT/AU00/00340
PCT/AU00/00341  PCT/AU00/00581  PCT/AU00/00580  PCT/AU00/00582
PCT/AU00/00587  PCT/AU00/00588  PCT/AU00/00589  PCT/AU00/00583
PCT/AU00/00593  PCT/AU00/00590  PCT/AU00/00591  PCT/AU00/00592
PCT/AU00/00584  PCT/AU00/00585  PCT/AU00/00586  PCT/AU00/00749
PCT/AU00/00750  PCT/AU00/00751  PCT/AU00/00752  PCT/AU01/01332
PCT/AU01/01318  PCT/AU00/01513  PCT/AU00/01514  PCT/AU00/01515
PCT/AU00/01516  PCT/AU00/01517  PCT/AU00/01512  PCT/AU01/00502
PCT/AU02/01120  PCT/AU00/00333  PCT/AU01/00141  PCT/AU01/00139
PCT/AU01/00140  PCT/AU00/00753  PCT/AU01/01321  PCT/AU01/01322
PCT/AU01/01323  PCT/AU00/00594  PCT/AU00/00595  PCT/AU00/00596
PCT/AU00/00597  PCT/AU00/00598  PCT/AU00/00741  PCT/AU00/00742
【発明の概要】
【０００６】
本発明の第１の態様によると、車内情報検索システムであって、
車両の中でデータを生成するデータ生成モジュールと、
データ生成モジュールと通信してデータ生成モジュールからデータを取り込むデータ取り込みモジュールと、
車両に取り付けられておりかつデータ取り込みモジュールに接続されている印刷ユニットであり、データ取り込みモジュールからの情報を印刷する、印刷ユニットと、
を含んでいる、車内情報検索システムが提供される。
【０００７】
データ生成モジュールは、画像データを生成することができる。画像データは、テキストデータを含んでいることができる。画像データは、映像データを含んでいることが好ましい。
【０００８】
データ生成モジュールは、映像データが表示されるディスプレイ手段を備えていることができる。
【０００９】
データ取り込みモジュールは、画像取り込みユニットを備えていることができる。更に、データ取り込みモジュールは、画像取り込みユニットに関連付けられているユーザ端末であって、ユーザが必要時に操作してデータを取り込むことのできる、ユーザ端末、を備えていることができる。画像取り込みユニットは、データ生成モジュールからのデータを、印刷に適する形式に符号化することができる。
【００１０】
印刷ユニットは、画像取り込みユニットと通信して画像取り込みユニットからの書式付きデータを受信するプリンタコントローラと、プリンタとを備えていることができる。
【００１１】
プリンタは、フルカラープリンタでよい。プリンタは、写真画質のカラープリンタであることが好ましい。
【００１２】
更には、プリンタは、インクジェットプリンタでよい。従って、プリンタは、インクジェット式ページ幅プリントヘッドを備えていることができる。プリントヘッドは、ノズルのアレイを備えていることができ、このアレイは、マイクロメカトロニクス（ｍｉｃｒｏｅｌｅｃｔｒｏｍｅｃｈａｎｉｃａｌ）技術によって製作される。
【００１３】
このシステムは、データ取り込みモジュールと通信する通信ユニットであって、取り込まれたデータを遠隔位置に送ることを可能にする、通信ユニットを備えていることができる。この通信ユニットは、データ生成モジュールがデータの遠隔の供給元からのデータを生成することを可能にする目的で、データ生成モジュールと通信することもできる。
【００１４】
本発明の第２の態様によると、車両の中から情報を検索する方法であって、
車両の中でデータを生成するステップと、
生成されたデータの少なくとも一部を取り込むステップと、
必要な取り込まれたデータを、車両に取り付けられている印刷ユニットによって印刷するステップと、
を含んでいる、方法が提供される。
【００１５】
この方法は、映像データを含んでいる画像データを生成するステップを含んでいることができる。この場合、この方法は、映像データを表示するステップを含んでいることが好ましい。
【００１６】
この方法は、要求時にデータを取り込むステップを含んでいることができる。
【００１７】
更に、この方法は、データを、印刷に適する形式に符号化するステップを含んでいることができる。データに映像データが含まれている場合、この方法は、データを圧縮画像形式に符号化するステップを含んでいることができる。この方法は、圧縮画像形式の中に補足情報を含めるステップを含んでいることができる。
【００１８】
更に、この方法は、取り込まれたデータを遠隔位置に送るステップを含んでいることができ、また、データの遠隔の供給元から供給されるデータを生成するステップを含んでいることもできる。
【００１９】
本発明の第３の態様によると、車内情報検索システムであって、
車載表示装備と、
画像表示装備に関連付けられている制御手段であり、画像表示装備に表示されるデータを制御する、制御手段と、
画像表示装備に接続されている車載印刷ユニットであり、画像を印刷することを可能にする、車載印刷ユニットと、
を含んでいる、車内情報検索システムが提供される。
【００２０】
本明細書においては、特に明記していない限りは、用語「車載」は、乗り物又は車両に取り付けられている装置及びその構成部品として広義に理解するものとする。
【００２１】
本発明の第４の態様によると、車両の中から情報を検索する方法であって、
車載表示装備に画像を表示するステップと、
画像表示装備に表示される画像を制御するステップと、
必要な画像を車載印刷ユニットによって印刷するステップと、
を含んでいる、方法が提供される。
【００２２】
本発明の第５の態様によると、車内情報検索システムであって、
画像出力モジュールと、画像を表示するディスプレイ手段とを含んでいる車載画像表示装備と、
画像表示装備と通信する画像取り込みユニットであり、取り込まれた画像に関するデータを印刷に適する形式に圧縮するデータ圧縮手段を含んでいる、画像取り込みユニットと、
画像取り込みユニットに接続されている車載印刷ユニットであり、取り込まれた画像を印刷することを可能にする、車載印刷ユニットと、
を含んでいる、車内情報検索システムが提供される。
【００２３】
このシステムは、画像取り込みユニットに接続されている無線通信ユニットであって、取り込まれた画像を遠隔位置に送る、無線通信ユニット、を備えていることができる。無線通信ユニットは、映像画像を映像画像の遠隔の供給元からダウンロードすることを可能にする目的で、画像表示装備にも接続されていることができる。
【００２４】
本発明の第６の態様によると、車両の中から情報を検索する方法であって、
画像出力モジュールとディスプレイ手段とを含んでいる車載画像表示装備に画像を表示するステップと、
取り込まれた画像に関するデータを印刷に適する形式に圧縮するステップと、
必要な画像を車載印刷ユニットによって印刷するステップと、
を含んでいる、方法が提供される。
【００２５】
この方法は、取り込まれた画像を無線通信ユニットによって遠隔位置に送るステップ、を含んでいることができる。更に、この方法は、映像画像を映像画像の遠隔の供給元から無線通信ユニットによって画像表示装備にダウンロードするステップ、を含んでいることができる。
【００２６】
以下では、添付されている図面を参照しながら、本発明の好ましい実施形態を一例として説明する。
【詳細な説明】
【００２７】
最初に図面の図１を参照する。この図は、車内情報検索システムを示しており、このシステムは参照数字１０によって表してある。システム１０は、映像出力モジュール１２の形式におけるデータ生成モジュールを備えている。このモジュール１２から出力される映像画像は、データライン２０を通じてディスプレイ装備１８に送られる。ディスプレイ装備１８は、車両の中の適切な位置に取り付けられているＬＣＤパネルであることが都合よい。
【００２８】
モジュール１２からの映像データは、ライン２２を通じてデータ取り込みモジュール又は画像取り込みモジュール１４にも出力される。画像取り込みモジュール１４は、モジュール１２から受信された映像データをＪＰＥＧなどの圧縮画像形式に符号化する。画像取り込みモジュール１４からの圧縮出力には、画像が取り込まれた日時を表すテキストなど、印刷される出力ハードコピーに何らかの形式で重ねるか又は挿入する必要のある補足情報も含めることができる。
【００２９】
圧縮データは、システム１０の印刷ユニット１６のプリンタコントローラ４２にライン２４を通じて送信される。プリンタコントローラ４２は、印刷ユニット１６のプリンタ１００を制御する。
【００３０】
画像取り込みモジュールからの圧縮データは、ライン２８を通じて無線通信サブシステム５０にも送信される。これにより、取り込まれたデータのコピーを遠隔のストレージデータベースやストレージサーバに転送して、後から検索したりＷｅｂサイトに公開することができる。
【００３１】
必要な場合、システム１０は、取り込まれたデータを格納することを目的として、必要な容量を持つフラッシュメモリカード、又はその他の適切なストレージメディアなどのデータストレージ手段（図示していない）、を備えていることができる。
【００３２】
システム１０は、通常は車両の乗員であるユーザが操作するユーザ端末２６であって、映像出力モジュール１２によって出力される画像を取り込む目的で画像取り込みモジュール１４を作動させる、ユーザ端末、を備えている。
【００３３】
以下に、システム１０のいくつかのコンポーネントについて詳しく説明する。
【００３４】
図面の図１５を参照する。無線通信サブシステム５０には、様々な形式を採用することができる。一つの手法は、衛星通信と携帯電話網との組み合わせを使用することである。
【００３５】
サブシステム５０は、移動局５２（本発明においては自動車）と固定局５４とを備えている。衛星は、参照数字５６によって表してある。衛星５６は、衛星受信器５８によって移動局５２と通信する。衛星５６は、衛星アップリンク６０によって基地局５４とも通信する。
【００３６】
更に、移動局５２は、携帯電話網ベースの送信器６４を備えており、この送信器は、基地局５４における携帯電話網ベースの受信器６６と通信する。
【００３７】
移動局５２から基地局５４にデータを送信することを可能にするため、衛星５６による衛星送信と、送信器６４及び受信器６６を使用する携帯電話網とが採用されている。
【００３８】
プリンタコントローラ４２は、印刷プロセスのうちハードウェアに固有な面を扱う。これによって、一連のプリントモジュール群の上流においてシステムの細部を変更することなく、複数の異なるタイプの印刷メカニズム又はプリンタ１００を採用することが可能になる。
【００３９】
プリンタコントローラ４２は、各画像の圧縮バージョンを受信する。画像は、画像のサイズに応じて、全体を受信する、又は帯単位で受信することができる。
【００４０】
プリンタコントローラ４２においては、プリンタの順序で画像データへのアクセスが漸次行われる。必要な場合には圧縮解凍され、プリンタ１００のハードウェアがプリントヘッド３００をプログラムすることができるように、プリンタ１００のハードウェアに適する形式に編成される。この編成時には、特定のプリントヘッド３００の特殊な特性を考慮するうえで必要となりうる要因を含めることができ、例えば、プリントデータの拡大やディザリング、或いは使用するマーカーや用紙に対する調整（必要時）などである。
【００４１】
図面の図２〜図７を参照しながら、プリンタ１０について詳しく説明する。
【００４２】
プリンタ１００は、シャーシ１１２（図３）を備えている。このシャーシは、アクセス開口１１８を持つトップカバー１１６によってカバーされている。アクセス開口１１８は、フラップ１２０によって閉じられる。フラップ１２０にはばねによる力がかかっており、プリンタ１００からカートリッジ１２２が取り出されると、フラップは上向きに戻ってアクセス開口１１８を閉じる。
【００４３】
プリンタにコマンドを送る装置は、例えば自動車の配線ルーム（ｗｉｒｉｎｇ  ｌｏｏｍ）を通じてプリンタ１００に結線するか、又は代わりに、無線式にプリンタ１００にコマンドを送ることができる。この目的のため、プリンタ１００は、赤外線通信などの無線通信を検出することのできるポート１２４を備えている。
【００４４】
プリンタ１００には、プリントヘッド３００が組み込まれている。プリントヘッド３００は、インクジェット式ページ幅プリントヘッドである。より詳細には、プリントヘッド３００は、四色プリントヘッド、又は三色＋赤外線インクのプリントヘッドであり、後者は、カートリッジ１２２に格納されている印刷媒体に写真品質のプリントを印刷する。プリントヘッド３００は、１６００ｄｐｉで印刷を行うためのノズルアレイを備えている。プリントヘッド３００のノズルは、出願人のＭｅｍｊｅｔ技術を使用して製造される。以下に、このプリントヘッドについて詳しく説明する。
【００４５】
プリントヘッド３００は、シャーシ１１２に固定されている印刷回路基板（ＰＣＢ）１３６からコマンドを受け取る。
【００４６】
シャーシ１１２の側壁１４２には、一対の駆動モーター１３８，１４０が取り付けられている。駆動モーター１３８は、ステッパーモーターの形式であり、第１のギアトレイン１４４の形式の第１の駆動装置を駆動する。第１のギアトレイン１４４は、シャーシ１１２の側面成形部品１４６に取り付けられている。
【００４７】
駆動モーター１４０は、同じくステッパーモーターの形式であり、第２のギアトレイン１５０の形式の第２の駆動装置を介して駆動ローラー１４８を駆動する。
【００４８】
プリントヘッド３００は、インクホース１５２からインクを受け取る。このインクホースは、インク供給マニホールド１５６を介してカートリッジ１２２のインク供給リザーバ１５４（図７）と連通している。これについては、後から詳しく説明する。
【００４９】
図面の図４を参照し、この図はプリンタ１００の分解図を示している。注目すべき点として、プリントヘッド３００はＴＡＢフィルム１５４を通じてＰＣＢ  １３６と通信する。
【００５０】
側面成形部品１４６には、スロット１５８が画成されている。このスロット１５８は、カートリッジ１２２の対応する部分を受け入れる。更に、プリンタ１００の底面１６２の上には、ローラーセット１６０が取り付けられている。ローラーセット１６０は、回転可能な軸１６２を備えている。この軸１６２の両端には、ほぼ先端に歯１６４が取り付けられている。それぞれの歯１６４は、カートリッジ１２２の両側にそれぞれ一本ずつの、縦方向に延びているラック２００，２０２と噛み合って、カートリッジ１２２がプリンタ１００に挿入されるとき、又はプリンタ１００から取り出されるときに、カートリッジ１２２がゆがむことを防ぐ。
【００５１】
第１のギアトレイン１４４は、プリンタ１００のピックアップローラー１６８と噛み合う。ピックアップローラー１６８は、印刷を実行するとき、カートリッジ１２２の中の用紙の束１７０（図５）からの用紙形式の印刷媒体に密着して、プリンタ１００のプリントヘッド３００に送る。
【００５２】
図面の図４に詳しく示すように、第１のギアトレイン１４４は、プリンタ１００を横切って延びている軸１７２を通じて、ステッパーモーター１３８によって駆動される。これによって、ステッパーモーター１３８からの動力が、第１のギアトレイン１４４に伝わる。軸１７２の一方の端部には、ギア１７４が成形部品１４６に隣接して取り付けられている。このギア１７４は、減速ギアセット１７６を駆動する。更に、減速ギアセット１７６は、逆転メカニズムと噛み合う。従って、ギアトレイン１４４は、二つの機能を実行する。逆転メカニズム１７８が選択されていないときには、ギアトレイン１４４は、カートリッジ１２２の上側ラック１８０と噛み合って、カートリッジ１２２をプリンタ１００の中に送るか、又はカートリッジ１２２をプリンタ１００から取り出す。逆転メカニズム１７８が選択されているときには、ギアトレイン１４４は、ピックアップローラー１６８、より具体的にはピックアップローラー１６８の端部に取り付けられているギア１８２と噛み合う。この場合、ギアトレイン１４４は、プリントヘッド３００に送るための駆動ローラー１４８に用紙を送る役割りを果たす。
【００５３】
次に、図面の図６と図７を参照して、カートリッジ１２２について詳しく説明する。
【００５４】
カートリッジ１２２は、底面成形部品１９０を備えている。底面成形部品１９０は、金属カバー１９２によって閉じられている。カバー１９２は、その前縁に、横方向に間隔を空けて配置されている一対の開口１９４が画成されている。これらの開口１９４によって、プリンタ１００のピックアップローラー１６８が、カートリッジ１２２の中の用紙の束１７０の一番上の紙に密着することができる。
【００５５】
カートリッジ１２２の片側には、歯付きラック１９６が設けられている。歯付きラック１９６には、上側ラック１８０が画成されている。この上側ラック１８０は、カートリッジ１２２をプリンタ１００に挿入する、又はプリンタ１００から取り出す目的で、第１のギアトレイン１４４のギアと噛み合う。リブ１９８は、歯付きラック１９６の側面に沿って縦方向に延びている。このリブ１９８は、プリンタ１００の側面成形部品１４６のスロット１５８に受け入れられる。歯付きラック１９６の下面には、縦方向に延びている一方のラック２００（図７）も設けられており、このラックは一方の歯１６４と噛み合う。カートリッジ１２２の底面成形部品１９０の反対側には、縦方向に延びている他方のラック２０２が担持されている。このラック２０２は、カートリッジ１２２がプリンタ１００に挿入されるとき、又はプリンタ１００から取り出されるときにカートリッジ１２２がゆがむことを防ぐため、他方の歯１６４と噛み合う。
【００５６】
金属カバーの前縁には、フィードスロット２０４が画成されており、印刷する用紙はこのスロットを通じて送られる。フィードスロット２０４は、一部がプラスチック片２０６によって画成されており、このプラスチック帯片２０６は、一度に二枚以上の用紙がプリントヘッド３００に送られることを防ぐ。
【００５７】
帯片２０６の外側には、横方向に延びている溝２０８が画成されている。この溝２０８には、ばね式ローラー２１０が収容されている。ローラー２１０は、複数のクリップ２１２によって溝２０８の中に支持されている。
【００５８】
ローラー２１０は、複数の板ばね２１４によって溝２０８の底面に対して上方向に持ち上げられている。板ばね２１４は、溝２０８の一部を形成しているＬ字型の金属ブラケット２１６と一体に形成されている。ローラー２１０は、クリップ２１２にはめ込まれている。
【００５９】
プラテン２１８は、底面成形部品１９０の中に収容されている。プラテン２１８は、複数の板ばね２２０のばねの力によって持ち上げられている。板ばね２２０は、底面成形部品１９０の床２２２によって支持されており、用紙の束１７０をカバー１９２に密着させる。
【００６０】
インク供給リザーバ１５４は、底面成形部品１９０と一体に形成されているインク供給成形部品２２４を備えている。インク供給成形部品２２４には、複数のインク供給溝２２６が画成されている。各インク供給溝２２６には、特定の色のインクが含まれている。この文脈においては、用語「色」は、例えば赤外線インクなど、可視スペクトルにおいて見えないインクも含まれることが理解されるものとする。
【００６１】
溝２２６は、成形部品２２４にヒートシールされている柔らかい気泡状（ｂｌａｄｄｅｒ−ｌｉｋｅ）の膜２２８によって閉じられている。各溝２２６からインクが引き込まれると、対応する膜２２８が溝２２６の中に落ちることによって、その溝２２６に空気が侵入することが防止される。
【００６２】
各溝２２６は、インク出口２３０に通じている。各インク出口２３０は、破裂式シールの形式である。
【００６３】
図面の図４に詳しく示すように、プリンタ１００のインク供給マニホールド１５６は、ピン２３２を備えている。これらのピン２３２は、インク供給ホース１５２に通じている。カートリッジ１２２がプリンタ１００に挿入され、ギアトレイン１４４によって所定の位置まで駆動されると、ピン２３２がシール２３０を貫いて、ホース１５２が対応するインク供給チャネル溝２２６と連通している状態に配置される。
【００６４】
カートリッジ１２２は、品質保証チップ２３４を備えている。このチップ２３４は、カートリッジ１２２とプリンタとの正しい通信と、カートリッジ１２２に要求される品質とを確保する。チップ２３４は、プリンタ１００のインク供給マニホールド１５６に取り付けられているチップ接点２３６を通じて、プリンタ１００と通信する。カートリッジ１２２がギアトレイン１４４によって所定の位置まで駆動されると、チップ２３４が接点２３６に密着し、チップ２３４とプリンタ１００の回路基板１３６との間の通信を確立することができる。
【００６５】
カートリッジ１２２は使い捨てユニットであり、インクと用紙が使い切られた時点でカートリッジは処分される。これに代えて、カートリッジ１２２を再利用式にすることができる。後者の場合、カートリッジ１２２の中のインクと用紙が使い切られて、カートリッジ１２２がプリンタ１００から取り出された時点で、ユーザは使用済みの空のカートリッジ１２２を供給業者に持ち込むと、返金される。注目すべき点として、用紙若しくはインク、又はこの両方が使い切られた時点で、カートリッジ１２２はプリンタ１００から自動的に取り出される。
【００６６】
次に、図面の図８〜図１４を参照して、プリントヘッド３００について詳しく説明する。プリントヘッド３００は、ノズルアセンブリのアレイを備えており、このアレイについては後から詳しく説明する。特に好適な形態において、プリントヘッドは、段落［０００６］の［関連出願及び特許］にリストアップされたような特許出願及び特許に開示されたＭｅｍｊｅｔ技術を含むものである。なお、これらの特許出願及び特許は参照することで本明細書に援用する。
【００６７】
図８を参照すると、ノズルアセンブリは、参照符号４００で総括的に示されている。
【００６８】
アセンブリ４００は、上に誘電体層４１８が堆積されているシリコン基板又はシリコンウエハ４１６を備えている。誘電体層４１８の上には、ＣＭＯＳ不動態層４２０が堆積されている。
【００６９】
各ノズルアセンブリ４００は、ノズル開口４２４を画成しているノズル４２２と、レバーアーム４２６の形式の連結部材と、アクチュエータ４２８とを備えている。レバーアーム４２６は、アクチュエータ４２８をノズル４２２に連結している。
【００７０】
図面の図９〜図１１に詳しく示すように、ノズル４２２は、クラウン部分４３０を備えており、ここからスカート部分４３２が垂下されている。スカート部分４３２は、ノズルチャンバ４３４の周壁の一部を形成している。ノズル開口４２４は、ノズルチャンバ４３４と流体連通している。注目すべき点として、ノズル開口４２４は、持ち上がった縁部４３６によって囲まれており、この縁部は、インクの塊４４０のメニスカス４３８（図９）をノズルチャンバ４３４の中に「固定」している。
【００７１】
インク入口穴４４２（図面の図１３に最も明確に示してある）は、ノズルチャンバ４３４の床４４６に画成されている。この穴４４２は、基板４１６を貫いて画成されているインク入口溝４４８と流体連通している。
【００７２】
壁部分４５０は、穴４４２の境界を形成しており、床部分４４６から上に延在している。ノズル４２２のスカート部分４３２は、上述したように、ノズルチャンバ４３４の周壁の第１の部分を画成しており、ノズルチャンバ４３４の周壁の第２の部分は、壁部分４５０が画成している。
【００７３】
壁４５０は、その自由端に、内向きのリップ４５２を備えており、このリップは、ノズル４２２が変位しているときにインクが流出しないようにする流体用シールとして機能し、これについては後から詳しく説明する。インク４４０の粘性と、リップ４５２とスカート部分４３２との間の間隔が狭いこととによって、内向きのリップ４５２と表面張力が、ノズルチャンバ４３４からインクが流出することを抑制するシールとして機能することが理解されるであろう。
【００７４】
アクチュエータ４２８は、熱で曲がるアクチュエータであり、基板４１６から、より具体的にはＣＯＭＳ不動態層４２０から上向きに延在しているアンカー４５４に連結されている。アンカー４５４は、アクチュエータ４２８との電気接続を形成している導電パッド４５６の上に取り付けられている。
【００７５】
アクチュエータ４２８は、一対の第２の受動梁４６０の上に配置されている一対の第１の能動梁４５８を備えている。好ましい実施形態においては、一対の梁４５８，４６０のいずれも、窒化チタン（ＴｉＮ）などの導電性のセラミック材料である、又は導電性のセラミック材料を含んでいる。
【００７６】
一対の梁４５８，４６０のいずれも、その第１の端部がアンカー４５４に固定されており、反対側の端部がアーム４２６に固定されている。能動梁４５８に電流が流れると、梁４５８が熱膨張する。電流が流れていない受動梁４６０は同じ割合では膨張しないため、曲げモーメントが生じ、これによって、図面の図１０に示すように、アーム４２６、従ってノズル４２２が、基板４１６の方に下向きに変位する。これによって、図面の図１０における４６２に示すように、ノズル開口４２４からインクが突き出す。能動梁４５８から熱源が取り除かれる、すなわち電流を停止すると、ノズル４２２は、図面の図１１に示すように、その静止位置に戻る。ノズル４２２が静止位置に戻るとき、図面の図１１における４６６に示すように、インク滴の首が切れる結果として、インク滴４６４が形成される。インク滴４６４は、用紙などの印刷媒体まで飛ぶ。インク滴４６４が形成される結果として、図面の図１１における４６８に示すように、「負」のメニスカスが形成される。「負」のメニスカス４６８の結果として、インク４４０がノズルチャンバ４３４の中に流れ込み、新しいメニスカス４３８が形成され、ノズルアセンブリ４００から次のインク滴が突き出ることができる状態となる。
【００７７】
次に、図面の図１２〜図１４を参照して、プリントヘッド３００の一部について詳しく説明する。プリントヘッド３００は、四色プリントヘッドである。従って、プリントヘッド３００は、各色に一グループずつ、ノズルアセンブリの四つのグループ３７０を備えている。各グループ３７０は、二本の列３７２，３７４に編成されているノズルアセンブリ４００を備えている。図面の図１３は、グループ３７０の一つを詳しく示している。
【００７８】
ノズルアセンブリ４００を列３７２と列３７４に密集状に配置するため、列３７４のノズルアセンブリ４００は、列３７２のノズルアセンブリ４００に対してずらして、又は互い違いに配置されている。また、列３７２のノズルアセンブリ４００は、列３７４のノズルアセンブリ４００のレバーアーム４２６が、列３７２のノズルアセンブリ４００の隣り合うノズル４２２の間を通過するように、十分な間隔で配置されている。注目される点として、各ノズルアセンブリ４００は平面内で実質的にダンベル形状であり、列３７２のノズル４２２は、列３７４の隣接するノズルアセンブリ４００のノズル４２２とアクチュエータ４２８との間に収まっている。
【００７９】
更に、列３７２と列３７４のノズル４２２の密集度を高めるため、各ノズル４２２は実質的に六角形である。
【００８０】
基板４１６の上にはボンドパッド３７６が配置されており、パッド４５６を通じてノズルアセンブリ４００のアクチュエータ４２８への電気接続が形成されている。この電気接続は、ＣＭＯＳ層（図示されていない）を通じて形成されている。
【００８１】
プリントヘッド３００の基板４１６の上には、ノズルガード３８０が取り付けられている。ノズルガード３８０は本体部材３８２を含んでおり、この本体部材３８２には、中を貫通する複数の通路が画成されている。通路３８４は、プリントヘッド３００のノズルアセンブリ４００のノズル開口４２４と位置が合致しており、従って、ノズル開口４２４のいずれか一つからインクが射出されると、インクは対応する通路３８４を通過した後に印刷媒体に当たる。
【００８２】
本体部材３８２は、ノズルアセンブリ４００に対して間隔を空けた状態で、アーム又は支柱３８６によって取り付けられている。支柱３８６の一つには、空気入口孔３８８が画成されている。
【００８３】
プリントヘッド３００が動作するとき、通路３８４の中を移動するインクと一緒に、入口開口３８８から空気が取り込まれて通路３８４の中を強制的に送られる。この空気の目的は、通路３８４に異物が存在しないように維持することである。このような異物（塵粒など）は、ノズルアセンブリ４００の上に落ちて動作に悪い影響を与える危険性がある。ノズルガード３８０に空気入口孔３８８を設けることによって、この問題は大幅に回避される。
【００８４】
本発明の別の実施形態においては、図面の図１６に示すように、プリンタ１００は、内蔵されており、車内エンターテイメントユニット５００の一部を形成している。
【００８５】
ＩＣＥユニット５００は、ＣＤプレーヤー５０２と、コントロール部を持つラジオ５０４とに加えて、フルカラーＬＣＤ  ５０６を備えている。ユニット５００は、衛星ナビゲーションユニットとして機能し、テレビ信号の受信に使用することもできる。ユニット５００には、上述したタイプのプリンタ１００が組み込まれている。このユニット５００は、一連の制御ボタン５０８を備えている。この一連の制御ボタン５０８は、ＧＰＳのコントロール部を構成し、衛星ナビゲーションを目的として使用される。更に、このユニットは、プリンタ１００とプリンタ１００によって印刷されるコンテンツとを制御する目的で設けられているユーザ端末２６を備えている。
【００８６】
使用時、映像出力モジュール１２のコンテンツを取り込むことを望むとき、ユーザは、ユーザ端末２６を操作する。ユーザ端末を操作することにより画像取り込みモジュール１４が作動し、映像出力モジュールによって出力されるデータがデータライン２２を通じて取り込まれる。次いで、画像取り込みモジュール１４において画像圧縮手法が使用され、圧縮された画像データがテータライン２４を通じてプリンタコントローラ４２に出力される。プリンタコントローラ４２は、圧縮画像データを操作して、プリンタ１００によって印刷するのに適する形式に変換し、取り込まれた画像のハードコピーが印刷される。上述したように、印刷される画像に補足情報を重ねる、又はそれ以外の何らかの形式で挿入することができる。
【００８７】
必要な場合、補足された画像をデータライン２８を通じて無線通信サブシステム５０にも出力し、遠隔サーバに送信することができる。
【００８８】
本システム１０が有用である一つの用途は、テレビゲーム画面の取り込みである。例えば、テレビゲームのプレイヤーは、ゲームにおける自身の最高得点をハードコピーとして印刷することを望むことがある。システム１０を使用すると、このような画像を取り込んで印刷することができる。
【００８９】
このように、一人又は複数のプレイヤーが、車に組み込まれているディスプレイ装備１８を利用して車内でテレビゲームで遊んでおり、プレイヤーの一人が最高得点、又は前のプレイと比較して著しく高い得点を達成した場合、ユーザ端末２６を操作することによって、その得点を印刷して記録しておき、以降に参照することができる。
【００９０】
本システムが有用であるもう一つの用途は、天気予報などのテレビ放送からフレームを取り込む、又はテレビ番組の中の情報放送（例：レストランの場所）のハードコピーを取得することである。
【００９１】
従って、無線通信サブシステム５０を使用して放送信号を受信し、これを映像出力モジュール１２を通じてディスプレイ装備１８に表示させることができる。
【００９２】
テレビ放送には、後から再び見る目的で視聴者が保存しておきたいと考える情報が含まれていることがしばしばある。例えば、天気予報を見ているとき、一つの表示画面に提示される情報量は、ユーザが一度に把握するには多すぎる。
【００９３】
同じことは、他の番組にも当てはまり、例えば、レストランを紹介する番組などである。情報を把握しきれないという問題は、番組以外に注意が引かれることの多い車両の中に視聴者がいる場合、更に顕著である。
【００９４】
システム１０を使用すると、テレビ番組を見ている視聴者がその番組を後から再び見る目的で保存することを望む場合、ユーザ端末２６を適切に操作することによって、その番組の画像を保存して印刷することができる。
【００９５】
従って、自動車の中のディスプレイ装備に表示される画像の印刷を容易にするシステム１０が提供されることは、本発明の利点である。これにより、このようなディスプレイ装備に表示される画像の内容を記憶したり、このような画像の詳細な内容を書き留める（この場合は情報を記録するための紙と筆記具を探す必要がある）必要がなくなる。このような紙と筆記具を探す人が車両の運転者でない場合にしても、これによって運転者の注意力が散漫になり、危険につながりうることが理解されるであろう。
【００９６】
車両の乗員が、車内で目にした画像を後から再び見る目的で印刷することを望むとき、その画像を記録することを可能にするシステム１０が提供されることは、本発明のもう一つの利点である。
【００９７】
本発明はいくつかの具体的な実施形態を参照しながら説明したが、当業者には、本発明を多数の別の形式に具体化することができることが理解されるであろう。更に、特に明記されていない限りは、本明細書において参照されている公知の先行技術は、本発明が関連する技術分野の当業者に必ずしも公知ではないことがある。
【図面の簡単な説明】
【００９８】
【図１】本発明による、車内情報検索システムのブロック図を示している。
【図２】システムと一緒に使用するプリンタの三次元図を示している。
【図３】カバーを取り外した状態のプリンタの三次元図を示している。
【図４】プリンタの三次元の分解図を示している。
【図５】プリンタの側面断面図を示している。
【図６】プリンタのカートリッジの三次元図を示している。
【図７】カートリッジの三次元の分解図を示している。
【図８】プリンタのインクジェットプリントヘッドのノズルアセンブリの三次元の概略図を示している。
【図９】図８のノズルアセンブリの動作を説明する三次元の概略図を示している。
【図１０】図８のノズルアセンブリの動作を説明する三次元の概略図を示している。
【図１１】図８のノズルアセンブリの動作を説明する三次元の概略図を示している。
【図１２】プリントヘッドを構成しているノズルアレイの三次元図を示している。
【図１３】図１２のアレイの一部を拡大して示している。
【図１４】ノズルガードを備えているプリントヘッドの三次元図を示している。
【図１５】図１のシステムの一部を形成している無線通信サブシステムの概略図を示している。
【図１６】システムの一つの実施形態の三次元図を示している。
【図１】
2005519359.tif 000003
【図２】
2005519359.tif 000004
【図３】
2005519359.tif 000005
【図４】
2005519359.tif 000006
【図５】
2005519359.tif 000007
【図６】
2005519359.tif 000008
【図７】
2005519359.tif 000009
【図８】
2005519359.tif 000010
【図９】
2005519359.tif 000011
【図１０】
2005519359.tif 000012
【図１１】
2005519359.tif 000013
【図１２】
2005519359.tif 000014
【図１３】
2005519359.tif 000015
【図１４】
2005519359.tif 000016
【図１５】
2005519359.tif 000017
【図１６】
2005519359.tif 000018
【手続補正書】
【提出日】平成16年3月1日(2004.3.1)
【手続補正１】
【補正対象書類名】特許請求の範囲
【補正対象項目名】全文
【補正方法】変更
【補正の内容】
【特許請求の範囲】
【請求項１】
ディスプレイ手段と一緒に使用するための車内情報検索システムであって、
前記車両の中でデータを生成するデータ生成モジュールであり、前記ディスプレイ手段に表示する画像データを含んでいる、前記データ生成モジュールと、
前記データ生成モジュールと通信するデータ取り込みモジュールであり、前記データ生成モジュールからデータを取り込む画像取り込みユニットを含んでいる、前記データ取り込みモジュールと、
前記車両に取り付けられておりかつ前記データ取り込みモジュールに接続されている印刷ユニットであり、前記画像取り込みユニットによって取り込まれた画像データを印刷する、前記印刷ユニットと、
を含んでおり、
前記データ取り込みモジュールが、前記画像取り込みユニットに関連付けられているユーザ端末を含んでおり、前記ユーザ端末が、ユーザが必要時に操作して画像データを前記画像取り込みユニットによって取り込むことができる、
車内情報検索システム。
【請求項２】
前記画像データが映像データを含んでいる、請求項１に記載のシステム。
【請求項３】
前記データ生成モジュールが、前記映像データが表示されるディスプレイ手段を含んでいる、請求項２に記載のシステム。
【請求項４】
前記画像取り込みユニットが、前記データ生成モジュールからのデータを印刷に適する形式に符号化する、請求項１に記載のシステム。
【請求項５】
前記印刷ユニットが、前記画像取り込みユニットと通信するプリンタコントローラと、プリンタとを含んでおり、前記プリンタコントローラが、前記画像取り込みユニットからの前記書式付きデータを受信する、請求項４に記載のシステム。
【請求項６】
前記プリンタがフルカラープリンタである、請求項５に記載のシステム。
【請求項７】
前記プリンタが写真画質のカラープリンタである、請求項６に記載のシステム。
【請求項８】
前記プリンタがインクジェットプリンタである、請求項７に記載のシステム。
【請求項９】
前記プリンタがインクジェット式ページ幅プリントヘッドを備えている、請求項８に記載のシステム。
【請求項１０】
前記プリントヘッドがノズルのアレイを備えており、前記アレイが、マイクロメカトロニクス技術によって製作されている、請求項９に記載のシステム。
【請求項１１】
前記データ取り込みモジュールと通信する通信ユニットであって、取り込まれたデータを遠隔位置に送ることを可能にする、前記通信ユニット、を含んでいる、請求項１に記載のシステム。
【請求項１２】
前記通信ユニットが、前記データ生成モジュールが前記データの遠隔の供給元からのデータを生成することを可能にする目的で、前記データ生成モジュールとも通信する、請求項１１に記載のシステム。
【請求項１３】
車両の中から情報を検索する方法であって、
ディスプレイ手段に表示する画像データを前記車両の中で生成するステップと、
前記生成された画像データの少なくとも一部を取り込むステップであり、前記画像データが要求時に取り込まれる、前記ステップと、
必要な取り込まれた画像データを、前記車両に取り付けられている印刷ユニットによって印刷するステップと、
を含んでいる、方法。
【請求項１４】
映像データを含んでいる画像データを生成するステップ、を含んでいる、請求項１３に記載の方法。
【請求項１５】
前記映像データを表示するステップ、を含んでいる、請求項１４に記載の方法。
【請求項１６】
データを、印刷に適する形式に符号化するステップ、を含んでいる、請求項１３に記載の方法。
【請求項１７】
前記データに映像データが含まれている場合に、前記データを圧縮画像形式に符号化するステップ、を含んでいる、請求項１７に記載の方法。
【請求項１８】
前記圧縮画像形式の中に補足情報を含めるステップ、を含んでいる、請求項１７に記載の方法。
【請求項１９】
取り込まれたデータを遠隔位置に送るステップ、を含んでいる、請求項１３に記載の方法。
【請求項２０】
データの遠隔の供給元から供給されるデータを生成するステップ、を更に含んでいる、請求項１９に記載の方法。
【請求項２１】
車内情報検索システムであって、
車載画像表示装備と、
前記画像表示装備に関連付けられている制御手段であり、前記画像表示装備に表示されるデータを制御する、前記制御手段と、
前記画像表示装備に接続されている車載印刷ユニットであり、画像を印刷することを可能にする、前記車載印刷ユニットと、
を含んでおり、
前記制御手段が、ユーザが必要時に操作して前記画像を取り込むことのできるユーザ端末、を含んでいる、
車内情報検索システム。
【請求項２２】
車両の中から情報を検索する方法であって、
車載表示装備に画像を表示するステップと、
前記画像表示装備に表示される画像を制御するステップと、
要求時に画像を取り込むステップと、
必要な画像を車載印刷ユニットによって印刷するステップと、
を含んでいる、方法。
【請求項２３】
車内情報検索システムであって、
画像出力モジュールと、画像を表示するディスプレイ手段とを含んでいる車載画像表示装備と、
前記画像表示装備と通信する画像取り込みユニットであり、取り込まれた画像に関するデータを印刷に適する形式に圧縮するデータ圧縮手段を含んでいる、前記画像取り込みユニットと、
前記画像取り込みユニットに接続されている車載印刷ユニットであり、前記取り込まれた画像を印刷することを可能にする、前記車載印刷ユニットと、
を含んでおり、
前記画像取り込みユニットが、ユーザが必要時に操作して画像を取り込むことのできるユーザ端末、を含んでいる、
車内情報検索システム。
【請求項２４】
前記画像取り込みユニットに接続されている無線通信ユニットであって、前記取り込まれた画像を遠隔位置に送る、前記無線通信ユニット、を含んでいる、請求項２３に記載のシステム。
【請求項２５】
前記無線通信ユニットが、映像画像を前記映像画像の遠隔の供給元からダウンロードすることを可能にする目的で、前記画像表示装備にも接続されている、請求項２４に記載のシステム。
【請求項２６】
車両の中から情報を検索する方法であって、
画像出力モジュールとディスプレイ手段とを含んでいる車載画像表示装備に画像を表示するステップと、
必要時に画像を取り込むステップと、
取り込まれた画像に関するデータを印刷に適する形式に圧縮するステップと、
必要な画像を車載印刷ユニットによって印刷するステップと、
を含んでいる、方法
【請求項２７】
前記取り込まれた画像を無線通信ユニットによって遠隔位置に送るステップ、を含んでいる、請求項２６に記載の方法。
【請求項２８】
映像画像を前記映像画像の遠隔の供給元から前記無線通信ユニットによって前記画像表示装備にダウンロードするステップ、を更に含んでいる、請求項２７に記載の方法。
【手続補正２】
【補正対象書類名】明細書
【補正対象項目名】０００４
【補正方法】変更
【補正の内容】
【０００４】
本発明の出願人又は譲渡人によって２００３年２月１２日付けで出願された以下の同時係属出願には、本発明に関連する様々な方法、システム、及び装置が開示されている。
PCT/AU03/00154  PCT/AU03/00151  PCT/AU03/00150  PCT/AU03/00145
PCT/AU03/00153  PCT/AU03/00152  PCT/AU03/00168  PCT/AU03/00169
PCT/AU03/00170  PCT/AU03/00162  PCT/AU03/00146  PCT/AU03/00159
PCT/AU03/00171  PCT/AU03/00149  PCT/AU03/00167  PCT/AU03/00158
PCT/AU03/00147  PCT/AU03/00166  PCT/AU03/00164  PCT/AU03/00163
PCT/AU03/00165  PCT/AU03/00160  PCT/AU03/00157  PCT/AU03/00148
PCT/AU03/00156  PCT/AU03/00155
これらの同時係属出願の開示は、本文書に相互参照によって援用される。


【国際調査報告】
2005519359.tif 000019
2005519359.tif 000020
2005519359.tif 000021